(57)【要約】  放射線治療装置に組み合わせた画像化装置、特にＰＥＴ装置や対向ガンマカメラ型ＰＥＴ装置または開放型ＰＥＴ装置において、検出器を回動させることで、検出器への核破砕片の入射を低減する。例えば、対向ガンマカメラ型ＰＥＴ装置においては、ビーム照射と検出器の回動を同期させることによって、検出器が治療ビームと干渉するのを避けると共に、核破砕片の検出器への入射を低減することができる。これにより、治療ビームと干渉せず且つ核破砕片の検出器への入射を低減して、照射直後あるいは照射中に消滅放射線を計測し、照射野を３次元的に画像化できる。
2010109585.tif 000002
【特許請求の範囲】
【請求項１】
放射線照射によって患部から生じる二次的な放射線を測定し得るように検出器が配設され、該検出器の視野へ照射される放射線に同期して照射後あるいは照射中に照射野の画像化を行う画像化装置を含む放射線治療・画像化複合装置であって、
放射線を被検体の該画像化装置の視野に位置する部位に向けて所定方向から照射する放射線治療装置と、
前記視野周りに回動可能に配置された前記検出器と、
前記放射線照射により被検体から照射方向前方へ飛翔する核破砕片の検出器への入射を緩和するように検出器の回動を制御する手段と、
を備えたことを特徴とする検出器回動型放射線治療・画像化複合装置。
【請求項２】
前記検出器が、被検体から生じる一対の消滅放射線を同時計数測定し得るように被検体を挟んで対向してペアーを形成する検出器群であり、前記画像化装置が、被検体の断層撮影を行うＰＥＴ装置であることを特徴とする請求項１に記載の検出器回動型放射線治療・画像化複合装置。
【請求項３】
前記検出器の回動軌道上の領域において、核破砕片が前記検出器に入射しない領域で放射線を照射し、検出器が核破砕片が入射する領域にさしかかると放射線の照射を停止することを特徴とする請求項１又は２に記載の検出器回動型放射線治療・画像化複合装置。
【請求項４】
前記検出器群が被検体軸周りに不連続なリング状に形成され、被検体に放射線を照射する放射線照射経路が前記不連続リングを通過するように設けられており、放射線照射中は放射線照射経路を跨ぐ位置にリングの不連続位置があるように検出器群の回動を制御することで、放射線が不連続部を通して被検体に照射されることを特徴とする請求項１又は２に記載の検出器回動型放射線治療・画像化複合装置。
【請求項５】
前記不連続部が複数箇所設けられており、予め定められた計画に基づき放射線照射休止中に前記放射線照射経路を跨ぐ不連続部が入れ替わることを特徴とする請求項４に記載の検出器回動型放射線治療・画像化複合装置。
【請求項６】
前記検出器群は被検体軸周りにリング状に形成されており、該リング状検出器の二つが互いに隙間を空けて対向するように配設され、その隙間に被検体に放射線を照射する放射線照射経路が設けられており、前記リング状検出器のリング上の検出器が欠損されていることを特徴とする請求項３に記載の検出器回動型放射線治療・画像化複合装置。
【請求項７】
前記リング状検出器のリング上の対向する両側の検出器が欠損されていることを特徴とする請求項６に記載の検出器回動型放射線治療・画像化複合装置。
【請求項８】
前記検出器がリング状に形成され、放射線が照射される際に該リング状検出器が連続回転することにより各検出器の放射化の程度を分散させることを特徴とする請求項１又は２に記載の検出器回動型放射線治療・画像化複合装置。
【請求項９】
放射線が周期的に照射されるとき、前記リング状検出器の回転周期が、放射線の照射周期の整数倍でないことを特徴とする請求項８に記載の検出器回動型放射線治療・画像化複合装置。
【請求項１０】
前記核破砕片により放射化される検出器の放射化の程度を検出し、検出部位の放射化の程度が所定値以上に達したことが検出されると、前記リング状検出器を放射化が緩和される位置まで所定角度回動させ待避させることを特徴とする請求項１又は２に記載の検出器回動型放射線治療・画像化複合装置。
【請求項１１】
前記所定角度が、あらかじめ設定された角度であることを特徴とする請求項１０に記載の検出器回動型放射線治療・画像化複合装置。
【請求項１２】
前記所定角度が、前記検出手段が検出部位の放射化の程度が前記の第一の所定値以上に達したことを検出した後、該検出手段が検出する放射化の濃度が第一の所定値以下の濃度である第二の所定値以下になるまで前記リング状検出器を回動する角度であることを特徴とする請求項１０に記載の検出器回動型放射線治療・画像化複合装置。
【請求項１３】
前記リング状検出器の二つが互いに隙間を空けて対向するように配設され、その隙間に被検体に放射線を照射する放射線照射経路が設けられていることを特徴とする請求項８乃至１２のいずれかに記載の検出器回動型放射線治療・画像化複合装置。
【請求項１４】
前記リング状検出器の軸が被検体軸に対して傾斜していることを特徴とする請求項８乃至１３のいずれかに記載の検出器回動型放射線治療・画像化複合装置。
【請求項１５】
前記検出器群は被検体の側方に対向して配設されていることを特徴とする請求項８乃至１２のいずれかに記載の検出器回動型放射線治療・画像化複合装置。
【請求項１６】
前記核破砕片により放射化される検出器の放射化の程度を検出し、前記リング状に形成された検出器群に不連続部が複数箇所あって、前記検出部位の放射化の程度が所定値以上に達したことが検出されると、放射線照射休止中に前記放射線照射経路を跨ぐ不連続部が入れ替わることを特徴とする請求項１０に記載の検出器回動型放射線治療・画像化複合装置。
【請求項１７】
前記放射化の程度を、検出器の要素毎に計算した、単位時間当りの計測値から検出することを特徴とする請求項８乃至１６のいずれかに記載の検出器回動型放射線治療・画像化複合装置。
【請求項１８】
前記検出器群が揺動運動することを特徴とする請求項１乃至１７のいずれかに記載の検出器回動型放射線治療・画像化複合装置。
【請求項１９】
前記揺動角度が３６０°以下であることを特徴とする請求項１８に記載の検出器回動型放射線治療・画像化複合装置。
【請求項２０】
放射線照射によって患部から生じる放射線を測定し得るように検出器が被検体周りに回動可能に配設され、該検出器の視野へ照射される放射線に同期して照射後あるいは照射中に照射野の画像化を行う画像化装置を含む放射線治療・画像化複合装置の制御プログラムであって、
前記放射線照射により被検体から照射方向前方へ飛翔する核破砕片の検出器への入射を緩和するように検出器の回動を制御することを特徴とする検出器回動型放射線治療・画像化複合装置の制御プログラム。
【請求項２１】
前記検出器が、被検体から生じる一対の消滅放射線を同時計数測定し得るように被検体を挟んで対向してペアーを形成する検出器群であり、前記画像化装置が、被検体の断層撮影を行うＰＥＴ装置であることを特徴とする請求項２０に記載の検出器回動型放射線治療・画像化複合装置の制御プログラム。
【請求項２２】
前記核破砕片により放射化される検出器の放射化の程度が所定値以上に達したことを検出すると、検出器群をあらかじめ設定された角度回動させることを特徴とする請求項２１に記載の検出器回動型放射線治療・画像化複合装置の制御プログラム。
【請求項２３】
前記核破砕片により放射化される検出器の放射化の程度が第一の所定値以上に達したことを検出すると、検出する放射化の濃度が第一の所定値以下の濃度である第二の所定値以下になるまでリング状検出器を回動させることを特徴とする請求項２１に記載の検出器回動型放射線治療・画像化複合装置の制御プログラム。
【請求項２４】
前記検出器群を３６０°以下の揺動角度で揺動運動させることを特徴とする請求項２１に記載の検出器回動型放射線治療・画像化複合装置の制御プログラム。
【発明の詳細な説明】
【技術分野】
【０００１】
本発明は、Ｘ線や粒子線を患部に照射して行う放射線治療において、放射線（ビームともいう）照射によって照射野から生じる消滅放射線を検出するためのモニタリングに際して、治療ビームと干渉せず且つ核破砕片の検出器への入射を低減して、照射直後あるいは照射中に消滅放射線を計測し、照射野を３次元的に画像化できる放射線治療・画像化複合装置に関する。
【背景技術】
【０００２】
癌の早期診断に有効と注目されている陽電子放射断層撮像法（ＰＥＴ）は、極微量の陽電子放出核種で標識した化合物を投与し、体内から放出される消滅放射線を検出することで、糖代謝等、代謝機能を画像化し、病気の有無や程度を調べる検査法であり、これを実施するためのＰＥＴ装置が実用化されている。【０００３】
ＰＥＴの原理は次のとおりである。陽電子崩壊によって陽電子放出核種から放出された陽電子が周囲の電子と対消滅し、それによって生じる一対の５１１ｋｅＶの消滅放射線を、対の放射線検出器で同時計数の原理によって測定する。これにより、核種の存在位置を、対の検出器同士を結ぶ１本の線分（同時計数線）上に特定することができる。患者の頭から足の方向に向かう軸を体軸と定義すると、体軸と垂直に交わる平面上の核種の分布は、その平面上において様々な方向から測定された同時計数線のデータから、２次元画像再構成によって求められる。【０００４】
よって、初期のＰＥＴ装置は、視野とする平面上に、視野を囲むように密に検出器をリング状に配置したシングルリング型検出器から構成されていた。その後、多数のシングルリング型検出器を体軸方向に密に配置したマルチリング型検出器の登場によって、２次元の視野が３次元化された。更に１９９０年代に入ると、検出器リング間においても同時計数測定を行うことによって、感度を大幅に高めた３ＤモードのＰＥＴ装置の開発が盛んに行われ、現代に至っている。【０００５】
一方、ＰＥＴ診断等で発見された癌に対する治療の役割も重要である。外科手術や薬物治療とは異なる方法として、Ｘ線やガンマ線などの放射線を患部に照射する放射線治療がある。特に、重粒子線や陽子線を癌の部位に絞って照射する粒子線治療は、優れた治療効果と鋭い患部集中照射特性を併せ持つ方法として、大きな注目を集めている。粒子線の照射方法としては、患部に形状を合わせるようにして照射するビームを広げる従来のボーラス照射に加えて、ペンシルビームを患部形状などに合わせて走査させるスポットスキャニング照射が研究されている。いずれも、別途撮影したＸ線ＣＴ画像などに基づいて綿密に計算された治療計画に従って、照射ビームの方向や線量を精密に制御して行う。【０００６】
治療計画に正確に従った治療を実現するためには、患者の位置決めの精度が鍵となる。照射野の位置決めはＸ線画像に基づいて行われることが多いが、一般にＸ線画像では腫瘍と正常組織のコントラストが十分ではなく、腫瘍そのものを認識した位置合わせは困難である。このような患者セットアップ時の照射野位置ずれに加え、治療計画作成時から腫瘍の大きさが変化したり、呼吸などによって腫瘍位置が変動したりする問題も指摘されている。しかし現状は、治療計画通りの照射が行われたかどうかを正確に確認することは難しく、もし実際の照射野が治療計画からずれてしまったとしても、それを検知することは容易ではない。【０００７】
上記の問題を解決するために、ＰＥＴの方法を用いて、照射野をリアルタイムに画像化する方法が注目されている。これは、ＰＥＴ薬剤を投与するのではなく、粒子線ビーム照射やＸ線照射において、入射核破砕反応、標的核破砕反応や光核反応を通して生じる消滅放射線をＰＥＴの原理を用いて画像化する方法である。消滅放射線の発生位置が、照射ビームの線量分布と強い相関性を持つため、治療モニターが可能であるとされる（W.Enghardt、他、”Charged hadron tumour therapymonitoring by means of ＰＥＴ、” Nucl. Instrum.Methods A 525、 pp. 284−288、2004。S. Janek、他、“Development of dose deliveryverification by ＰＥＴ imaging of photonuclear reactions following high energyphoton therapy，”Phys. Med. Biol.誌、vol. 51 (2006) pp. 5769-5783）。さらに重粒子線治療においては、12Ｃなど通常の安定核の代わりに、11Ｃなど陽電子放出核を直接照射することによって、消滅放射線の発生位置と線量分布のミスマッチをなくすと共にＰＥＴ画像のＳ／Ｎ比を高めることが可能になる。【０００８】
照射野をリアルタイムに画像化するＰＥＴ（以下、ビームオンラインＰＥＴと称する）のための装置要件は、以下の４点に集約される。
１．検出器が治療ビームを遮らないこと。
２．検出器が核破砕片（入射粒子と標的核との衝突で生じる荷電粒子や中性子）によって性能低下しないこと。
３．ＰＥＴ画像の高精度化および患者拘束時間の短縮化のために、短寿命ＲＩを効率よく計測できるよう、照射直後もしくは照射中からもＰＥＴ計測が可能であること。
４．照射野を３次元的に画像化できること。【０００９】
前記要件２については、核破砕片が検出器に入射すると、検出器を構成するシンチレータ自身が放射化してしまい、計測対象である消滅放射線を数え落としたり、位置情報に誤差を与えたりする恐れがある。なお、核破砕片としては、重粒子線照射では荷電粒子と中性子の両者が発生するが、陽子線照射では中性子が支配的になると考えられる。いずれも、核破砕片は治療ビームに対し前方指向性を持って生成されるが、広い角度を伴うことが報告されている（N.Matsufuji, et al., "Spatial fragmentation distribution from a therapeuticpencil-like carbon beam in water," Physics in Medicine and Biology 50(2005) 3393-3403、S. Yonai, et al., "Measurement of neutron ambient doseequivalent in passive carbon-ion and proton radiotherapies," MedicalPhysics 35 (2008) 4782-4792）。【００１０】
前記要件３については、放射線照射によって生成される核種の半減期は数十秒から２０分程度と非常に短いことに加え、血流などの影響によって生体内で核種が移動してしまうことから、照射中の即時ＰＥＴ計測が求められる。【００１１】
ドイツのＧＳＩ研究所及び国立がんセンター東病院では、平面型の２つのＰＥＴ検出器を治療装置のベッドを挟むように設置する対向ガンマカメラ型ＰＥＴ装置を用いて、ビームオンラインＰＥＴを試行している（Ｐ．Ｃrespo、他、“Ｏn  the  detector  arrangement  for  in-beam  ＰＥＴ  for  hadron  therapy  monitoring，”Ｐhys．Ｍed．Ｂiol．誌、vol．51（2006）pp．2143−2163、Ｔ．Nishio、他、“Dose-volumedelivery guided proton therapy using beam ON-LINE PET system、”Med．Phys．誌、vol．33（2006）pp．4190−4197）。この対向ガンマカメラ型装置は、ビーム経路から遠ざけて検出器を配置できるため、要件１、２および３を満足する。しかし、計測できる同時計数線の方向が大きく偏り画像再構成に必要な情報が欠損するため、検出器面に対して垂直方向の分解能が著しく低下してしまい、要件４を満たすことはできない。【００１２】
要件４を満たすためには、多方向から同時計数線を計測することが必要である。ＰＥＴ単体装置においては、対向ガンマカメラ型装置を回転させる装置が提案されているが（DavidTownsend、et al., “A Rotating PET Camera using BGO Block Detectors,” ConferenceRecord of the 1991 IEEE Nuclear Science Symposium and Medical ImagingConference）、放射線治療装置と組み合わせた場合、ＰＥＴ検出器と治療ビームが干渉してしまうため、今度は要件１と２を満たさなくなる。【００１３】
治療ビームの照射装置自体が患者の周囲を回転する回転型治療ガントリ上に、対向ガンマカメラ型ＰＥＴを搭載する方法も提案されているが（特開２００８−２２９９４、特開２００８−１７３２９９）、多方向から連続的にビーム照射するような希少例を除いて、対向ガンマカメラ型ＰＥＴを回転できるのはビーム照射後となってしまい、要件３を満たすことはできない。【００１４】
治療ビームを通す隙間を有し、且つＰＥＴ装置を回転させることなく３次元の画像化が可能な方法として、出願人は、図１に示すように、患者８の体軸方向に２分割したマルチリング型検出器２２、２４を離して配置し、物理的に開放された視野領域（開放視野とも称する）を有する開放型ＰＥＴ装置を提案している（Ｔaiga  Ｙamaya，Ｔaku  Ｉnaniwa，Ｓhinichi  Ｍinohara，Ｅiji  Ｙoshida，Ｎaoko  Ｉnadama，Ｆumihiko  Ｎishikido，Ｋengo  Ｓhibuya，Ｃhih  Ｆung  Ｌam  and  Ｈideo  Ｍurayama，“Ａproposal  of  an  open  ＰＥＴ  geometry，”Ｐhy．Ｍed．Ｂiol．，53，pp．757-773，2008．）。開放視野は、分割された双方の検出器リング２２、２４間の同時計数線から、画像が再構成される。図において、１０はベッド、１２はベッドの架台、２６はガントリカバーである。この開放型ＰＥＴ装置は、要件１、３および４を満足するが、開放視野の幅が十分でなければ、照射ポート３０から開放視野に入射した治療ビーム３２によって生じる核破砕片３４が開放視野両端の検出器に入射してしまう。よって、治療強度が極端に強い場合、検出器が放射化してしまい、要件２を満たさなくなる恐れがある。
【発明の開示】
【００１５】
本発明は、前記従来の問題点を解決するべくなされたもので、治療ビームと干渉せず且つ核破砕片の検出器への入射を低減して、照射直後あるいは照射中に消滅放射線を計測し、照射野を３次元的に画像化できるようにすることを課題とする。
【００１６】
本発明は、放射線治療装置に組み合わせた画像化装置、特にＰＥＴ装置や対向ガンマカメラ型ＰＥＴ装置または開放型ＰＥＴ装置において、検出器を回動させることで、検出器への核破砕片の入射を低減するものである。
【００１７】
例えば、対向ガンマカメラ型ＰＥＴ装置においては、ビーム照射と検出器の回動を同期させることによって、検出器が治療ビームと干渉するのを避けると共に、核破砕片の検出器への入射を低減することができる。
【００１８】
本発明は、上記の知見に基づいてなされたもので、放射線照射によって患部から生じる二次的な放射線を測定し得るように検出器が配設され、該検出器の視野へ照射される放射線に同期して照射後あるいは照射中に照射野の画像化を行う画像化装置を含む放射線治療・画像化複合装置であって、放射線を被検体の該画像化装置の視野に位置する部位に向けて所定方向から照射する放射線治療装置と、前記視野周りに回動可能に配置された前記検出器と、前記放射線照射により被検体から照射方向前方へ飛翔する核破砕片の検出器への入射を緩和するように検出器の回動を制御する手段と、を備えることにより前記課題を解決したものである。
【００１９】
ここで、前記検出器が、被検体から生じる一対の消滅放射線を同時計数測定し得るように被検体を挟んで対向してペアーを形成する検出器群であり、前記画像化装置が、被検体の断層撮影を行うＰＥＴ装置であることができる。
【００２０】
又、前記検出器の回動軌道上の領域において、核破砕片が前記検出器に入射しない領域で放射線を照射し、検出器が核破砕片が入射する領域にさしかかると放射線の照射を停止することができる。
【００２１】
又、前記検出器群を被検体軸周りに不連続なリング状に形成し、被検体に放射線を照射する放射線照射経路を前記不連続リングを通過するように設け、放射線照射中は放射線照射経路を跨ぐ位置にリングの不連続位置があるように検出器群の回動を制御することで、放射線が不連続部を通して被検体に照射されるようにすることができる。
【００２２】
又、前記不連続部を複数箇所設け、予め定められた計画に基づき放射線照射休止中に前記放射線照射経路を跨ぐ不連続部が入れ替わるようにすることができる。
【００２３】
又、前記検出器群を被検体軸周りにリング状に形成し、該リング状検出器の二つを互いに隙間を空けて対向するように配設し、その隙間に被検体に放射線を照射する放射線照射経路を設け、前記リング状検出器のリング上の検出器を欠損することができる。
【００２４】
又、前記リング状検出器のリング上の対向する両側の検出器を欠損することができる。
【００２５】
又、前記検出器をリング状に形成し、放射線が照射される際に該リング状検出器が連続回転することにより各検出器の放射化の程度を分散させることができる。
【００２６】
又、放射線が周期的に照射されるとき、前記リング状検出器の回転周期が、放射線の照射周期の整数倍でないようにすることができる。
【００２７】
又、前記核破砕片により放射化される検出器の放射化の程度を検出し、検出部位の放射化の程度が所定値以上に達したことが検出されると、前記リング状検出器を放射化が緩和される位置まで所定角度回動させ待避させることができる。
【００２８】
又、前記所定角度を、あらかじめ設定された角度とすることができる。
【００２９】
又、前記所定角度を、前記検出手段が検出部位の放射化の程度が前記の第一の所定値以上に達したことを検出した後、該検出手段が検出する放射化の濃度が第一の所定値以下の濃度である第二の所定値以下になるまで前記リング状検出器を回動する角度とすることができる。
【００３０】
又、前記リング状検出器の二つを互いに隙間を空けて対向するように配設し、その隙間に被検体に放射線を照射する放射線照射経路を設けることができる。
【００３１】
又、前記リング状検出器の軸を被検体軸に対して傾斜させることができる。
【００３２】
又、前記検出器群を被検体の側方に対向して配設することができる。
【００３３】
又、前記核破砕片により放射化される検出器の放射化の程度を検出し、前記リング状に形成された検出器群に不連続部が複数箇所あって、前記検出部位の放射化の程度が所定値以上に達したことが検出されると、放射線照射休止中に前記放射線照射経路を跨ぐ不連続部が入れ替わるようにすることができる。
【００３４】
又、前記放射化の程度を、検出器の要素毎に計算した、単位時間当りの計測値から検出することができる。
【００３５】
又、前記検出器群を揺動運動させることができる。
【００３６】
又、前記揺動角度を３６０°以下とすることができる。
【００３７】
本発明は、又、放射線照射によって患部から生じる放射線を測定し得るように検出器が被検体周りに回動可能に配設され、該検出器の視野へ照射される放射線に同期して照射後あるいは照射中に照射野の画像化を行う画像化装置を含む放射線治療・画像化複合装置の制御プログラムであって、前記放射線照射により被検体から照射方向前方へ飛翔する核破砕片の検出器への入射を緩和するように検出器の回動を制御することを特徴とする検出器回動型放射線治療・画像化複合装置の制御プログラムを提供するものである。
【００３８】
ここで、前記検出器が、被検体から生じる一対の消滅放射線を同時計数測定し得るように被検体を挟んで対向してペアーを形成する検出器群であり、前記画像化装置が、被検体の断層撮影を行うＰＥＴ装置であることができる。
【００３９】
又、前記核破砕片により放射化される検出器の放射化の程度が所定値以上に達したことを検出すると、検出器群をあらかじめ設定された角度回動させることができる。
【００４０】
又、前記核破砕片により放射化される検出器の放射化の程度が第一の所定値以上に達したことを検出すると、検出する放射化の濃度が第一の所定値以下の濃度である第二の所定値以下になるまでリング状検出器を回動させることができる。
【００４１】
又、前記検出器群を３６０°以下の揺動角度で揺動運動させることができる。
【００４２】
本願発明によれば、Ｘ線や粒子線を患部に照射して行う放射線治療において、放射線照射によって照射野から生じる消滅放射線を検出するためのモニタリングに際して、治療ビームと干渉せず且つ核破砕片の検出器への入射を低減して、照射直後あるいは照射中からも消滅放射線を計測し、照射野を３次元的に画像化できる。
【図面の簡単な説明】
【００４３】
【図１】出願人が提案した開放型ＰＥＴ装置を示す正面図及び側面図
【図２】従来の問題点を示す側面図
【図３】本発明の実施形態を示す側面図
【図４】前記実施形態でビーム照射と検出器の回転を同期させる構成を示すブロック図
【図５】本発明による検出器回転に同期したビーム照射の代表的な手順を示すフローチャート
【図６】図５の手順の変形例を示すフローチャート
【図７】前記実施形態でビーム照射と検出器の回転を同期させて、検出器が治療ビームと干渉したり核破砕片の影響を受けたりするのを避ける様子を示すタイムチャート
【図８】本発明の他の実施形態を示す側面図
【図９】本発明による検出器回動型放射線治療・ＰＥＴ複合装置の実施例を示す正面から見た縦断面図
【図１０】図９の中央付面の横断面図
【図１１】本発明によるＰＥＴ検出器回転を開放型ＰＥＴ装置に適用した実施例の要部を示す斜視図
【図１２】ＰＥＴ検出器リングを斜めに配置した例を示す平面図
【図１３】対向ガンマカメラ型ＰＥＴ装置に本発明を適用した例を示す斜視図
【図１４】本発明により、放射化の程度を検知して検出器を回転させて、破砕片の入射を分散させ検出器のダメージを低減する際の、代表的な手順を示すフローチャート
【図１５】本発明による回転型ＰＥＴの方法を開放型ＰＥＴ装置に適用したもう一つの実施例の要部を示す斜視図
【図１６】図１５において、不要な隙間に検出器を充填してＰＥＴ計測の感度を高めた構成を示す斜視図
【図１７】図１６の側面図
【図１８】本発明によりビーム照射と検出器の回転を同期させて、核破砕片の検出器への入射を避ける様子を示すタイムチャート
【発明を実施するための最良の形態】
【００４４】
以下、図面を参照して本発明の実施形態を詳細に説明する。【００４５】
本発明の実施形態において、ベッドを挟むように設置した２つの検出器は、照射ポートとは独立して、ベッドを中心にして回転する機構を持つ。検出器は平面型形状でもよいが、ここでは円弧型形状とする。また、照射ポートは、回転型治療ガントリでもよいが、ここでは固定の照射ポートとする。【００４６】
図２は、検出器が、治療ビーム３２と干渉したり核破砕片３４の影響を受けたりする状況を図示したものである。Ｗｃは、ビーム照射する際に検出器が遮ってはいけない範囲（以下、危険領域と称する）を示す。検出器の回転中心から見た見込み角をθcとすると、Ｗｃとの関係は、θc=２sin-1（Ｗｃ/(２Ｒ)）で表される。Ｒは、検出器軌道の半径である。粒子線の照射方法としては、患部に形状を合わせるようにビームを広げて照射する従来のボーラス照射に加えて、ペンシルビームを患部形状などに合わせて走査させるスポットスキャニング照射が研究されている。いずれの場合も、治療ビーム自体の幅は、照射野の最大幅程度であるが、実際は、照射ポート３０内部のレンジシフタ（図示省略）などから生じたり、患者８の体内から生じたりする核破砕片３４の広がりのほうが大きいと考えられる。よって、Ｗｃまたはθｃは、検出器軌道上において、上記核破砕片３４の影響が及ぶ範囲として定義する。【００４７】
図３は、本実施形態の構成を示したものである。検出器の回転中心から見た見込み角がθdとなる、一対の円弧状の検出器４０、４２を対向して配置した構造となる。【００４８】
図４は、ビーム照射と検出器４０、４２の回転を同期させる仕組みを図示したものである。治療ビーム３２の照射周期は、加速器制御システム５２によって制御される。シンクロトロン５４は、ビーム照射のＯＮ・ＯＦＦが繰り返される間欠運転が基本となるが、シンクロトロンから連続的にビームを取り出す技術の開発も進んでいる。図において、５６はビーム取出部である。【００４９】
検出器回転制御システム６０は、加速器制御システム５２から受け取る同期信号に検出器４０、４２の回転が同調するように、モーター制御装置６２に回転制御信号を送る。検出器４０、４２の位置や回転速度に関する情報は、回転センサ６４から検出器回転制御システム６０に逐一送信される。【００５０】
検出器、例えばＰＥＴ検出器で検出された消滅放射線のシングルイベントデータは、同時計数回路４４にて同時計数線を特定するコインシデンスデータに変換され、データ収集システム４６に順次保存される。そして、一定時間の計測データを蓄積した後、画像再構成システム４８にて画像再構成演算を行い、照射野の画像を表示したり保存したりする。計測データを蓄積する時間幅を時間フレームと呼ぶ。基本的に、ＰＥＴ計測データの処理系は、加速器制御システム５２や検出器回転制御システム６０と関わることなく、計測データの処理や収集を続けていてよいが、コインシデンスデータに検出器位置信号を含めるなどして、同時計数線の絶対位置が特定できるようにする必要がある。【００５１】
図５は、検出器回転に同期したビーム照射の代表的な手順を示したものである。検出器回転制御システム６０は、照射準備命令を取得する（ステップ１００）と、シンクロトロンの運転周期と検出器回転が同調するように調整を行う（ステップ１０２）。具体的には、両者の周期と位相を合わせればよい。そして、照射と検出器回転の同期が成立する（ステップ１０４）と、検出器が危険領域に存在しない時のみに照射を行う回転同期照射（ステップ１０６）を、治療が終了する（ステップ１０８）まで繰り返す。ここでは、シンクロトロンの運転周期に検出器回転を合わせる制御を示したが、シンクロトロンから連続的にビームを取り出す場合などは、検出器回転が安定化した後に、検出器回転に照射タイミングが合うように、ビーム取り出し部５６の制御を行っても良い。【００５２】
図５は、照射・回転同期が安定して成立しているという前提において、回転同期照射は加速器制御システム５２が制御するフローを示したが、例えば検出器回転が安定しない場合などは、図６に示すように、検出器回転制御システム６０が、検出器位置を確認して照射タイミング情報を加速器制御システム５２に送るようにしてもよい（ステップ１１０、１１２）。【００５３】
図７は、ビーム照射と検出器の回転を同期させて、検出器が、治療ビームと干渉したり核破砕片の影響を受けたりするのを避ける様子を図示したものである。検出器が危険領域に入らない時のみ治療ビーム照射を行い、検出器が危険領域にさしかかると治療ビーム照射をＯＦＦにする。治療ビームは、ti秒の照射のあとts秒休止する、Ｔ=ti+ts秒周期で運転されているとする。ＰＥＴ装置は、２Ｔ秒で一回転するとする。このとき、検出器サイズに関わるパラメータであるθdの条件について、以下に述べる。まず、θdの下限値は、検出器軌道半径をＲ、ＰＥＴ視野半径をrとすると、
θd≧２sin-1（ｒ／Ｒ）
となる。一方、θdの上限値は、
θd ≦ ts／Ｔ×１８０°−θc
となる。【００５４】
シンクロトロンから連続的にビームを取り出せる場合などは、ti秒の照射のあとts秒休止するように、検出器回転に照射タイミングが合うように、ビーム取り出し部５６の制御を行っても良い。スポットスキャニング照射においては、レンジシフタを切り替える時間をts秒の休止時間に割り合てることもできる。照射時間tiや休止時間tsが変化する場合は、それに合わせて検出器回転速度を可変にすることもできる。一連の照射が続くような照射パターン、あるいは休止時間tsが極端に短い場合においては、一連の照射に相当する時間をまとめて照射時間tiにあててもよい。【００５５】
ＰＥＴ計測は、常にコインシデンスデータを収集しつづけ、後から指定した時間フレーム分のデータを取り出して画像再構成する。あるいは、先に時間フレームを指定し、指定した時間フレーム分のみ、ＰＥＴ計測するようにしてもよい。いずれにしろ、画像再構成には、様々な角度からの同時計数線が必要であるため、画像化できる照射野の時間フレームの最小値は、ＰＥＴ検出器の１８０度回転に相当するＴ秒の照射クロックとなる。消滅放射線の計測カウント数が少ない場合は、時間フレームをＴ秒よりも長く設定して、計測データのＳＮ比を高めればよい。なお、照射中に照射野からは、消滅放射線の他に、即発性のガンマ線（即発ガンマ線）が放出されることが知られており、ＰＥＴ計測にとってはノイズ成分となる偶発同時計数を高めてしまう。この対策法としては、ti秒の照射中にもマイクロ秒オーダーのオン／オフ周期性があることに着眼して、オン状態における計測データは除外し、オフ状態における計測データのみを画像再構成に利用する方法が提案されれている（P.Crespo, et al., "Suppression of random coincidences during in-beam PETmeasurements at ion beam radiotherapy facilities," IEEE TRANSACTIONS ONNUCLEAR SCIENCE, VOL. 52, NO. 4, AUGUST 2005）。【００５６】
なお、画像化装置は必ずしもＰＥＴ装置である必要はなく、図８に示すガンマカメラによるＳＰＥＣＴ装置などでもよい。その場合、消滅放射線の他、上記で述べた即発ガンマ線も信号として計測することが可能になると考えられる。図において、７０はコリメータ、７２は検出器である。
【実施例】
【００５７】
放射線医学総合研究所の重粒子線がん治療装置（ＨＩＭＡＣ）では、Ｔ＝３．３秒周期で治療ビーム制御を行っている。ここでは、ＨＩＭＡＣへの適用を前提として、本発明の説明を行う。検出器軌道半径Ｒ＝５０ｃｍ、ＰＥＴ視野半径ｒ＝２０ｃｍとすると、θdの下限値はθd≧４７．２°である。照射時間ｔｉおよび危険領域幅Ｗｃを変化させた場合の、θdの上限値を表１に示す。ｔｓ＝３．３−ｔｉである。なお、上限値が下限値を下回る場合は、装置として成立しない（表中、不可と表示）。現実的には、ＰＥＴ装置感度を高めるために、θdは最大値を採用することが好ましい。【００５８】
【表１】
2010109585.tif 000003
【００５９】
実施例は、照射ポートが１つの場合であったが、本発明は、例えば垂直方向と水平方向など、複数の照射ポートを持つ場合にも対応できる。通常、複数照射ポートから同時に治療ビーム照射を行うことはない。よって、ビーム照射を行うポートの移動に合わせて、ＰＥＴ回転の位相またはビーム照射の位相を相対的に変化させればよい。回転型照射ガントリの場合でも、同様である。【００６０】
図９は、本発明による検出器回動型放射線治療・ＰＥＴ複合装置の実現例を示す。両端の支持リング８０の間に、回転モータ８２で回転するＰＥＴ検出器４０、４２が挟まれる。支持リングの台車部分８４が、治療室の床面に設置されるレール８６上に固定される。回転するＰＥＴ検出器４０、４２と支持リング８０間においては、スリップリング８８を介して、電源供給や信号伝達を行う。図において、９０はボールベアリング、９２はフロントエンド回路である。【００６１】
図１０は、図９の実施例における、中央付近の断面図である。検出器サイズとして、Ｗｃ＝３０ｃｍ（θｃ＝３４．９°）、ｔｉ＝１．５秒における、最大許容値であるθｄ＝６３．３°を採用した例である。【００６２】
図１１は、本発明によるＰＥＴ検出器回転を開放型ＰＥＴ装置に適用した例である。開放型ＰＥＴ装置では、開放空間を通じて、検出器と干渉することなく治療ビームを照射野へ導くことができるが、図１に示したとおり、検出器へ入射する核破砕片には注意しなくてはならない。核破砕片は治療ビームに対し前方指向性を持って生成されるため、リング状に並べられた検出器２２、２４のうち、照射ポートに近い側とその対向側に位置する検出器に、集中的に核破砕片が入射してしまう。照射ポートに近い側の検出器については、ガントリ部材に遮蔽材を含めるなど、照射ポートと検出器の間に遮蔽材を挿入することにより、核破砕片の入射を抑制することができる。しかし、遮蔽材は、核破砕片だけでなく計測対象である消滅放射線も低減してしまうため、対向側に位置する検出器の前面に設置することは好ましくない。そこで、検出器リング２２、２４を回転すれば、核破砕片の入射によるＰＥＴ検出器の放射化の程度を分散し低下することができる。【００６３】
具体的には、少なくとも照射中は検出器リング２２、２４を回転させる。連続回転でもよいが、前例で述べたような高速な回転は必要でないため、±１８０°での折り返し回転のほうが、スリップリングを用いることなく配線が可能になるため、装置が簡略化できる。回転は、連続でもステップ毎の断続でもよく、速度も等速でも可変速でもよい。また、回転速度や方向は、２リング同士で必ずしも同じである必要はない。本方式は、加速器からの治療ビームの取り出し方法を限定しない点が特徴であり、連続的に治療ビームを照射してもよい。治療ビームがＴ秒周期で照射される場合、検出器への核破砕片の入射が偏らないように、回転周期がＴの整数倍にならないようにすることが好ましい。【００６４】
照射中は回転しないが、核破砕片の入射によるＰＥＴ検出器の放射化の程度を検知して、ダメージ蓄積が均一になるように、検出器リングを回転させて、核破砕片が入射する検出器の位置を変更することもできる。【００６５】
図１１で示した方法では、角度方向の検出器の欠損がないため、常に、画像再構成に必要な任意の角度からの同時計数線を計測できる。よって、回転対向ガンマカメラ型の方法とは異なり、任意の時間フレームにおいて、照射野の画像化が可能であるという特徴も有する。【００６６】
本発明により、少なくとも照射中はＰＥＴ検出器を回転させる、もしくは放射化の程度を検知して検出器を回転させる方法は、開放型ＰＥＴ装置以外にも適用できる。図１２は、通常のＰＥＴ検出器リング２０を斜めに配置した先行例である（Ｐ．Ｃrespo、他、“Ｏn  the  detector  arrangement  for  in-beam  ＰＥＴ  for  hadron  therapy  monitoring，”Ｐhys．Ｍed．Ｂiol．誌、vol．51（2006）pp．2143−2163）。ビーム照射経路は確保されているが、図に示すように核破砕片３４が検出器に入射してしまう。これに対して、少なくとも照射中は、図中の矢印に示すように、検出器リング２０を、その中心線の回りに回転させる、もしくは放射化の程度を検知して検出器リング２０を回転させれば、核破砕片３４の入射を分散させ検出器のダメージを低減できる。【００６７】
図１３は、先行例である対向ガンマカメラ型ＰＥＴ装置（特開２００８−０２２９９４、特開２００８−１７３２９９）に、本発明を適用した例である。装置の感度を高めるためには、ＰＥＴ検出器４０、４２を大型化する必要があるが、ＰＥＴ検出器４０、４２の下端に核破砕片３４が入射してしまう恐れがある。その場合、放射化の程度を検知し、図中の矢印に示すようにＰＥＴ検出器４０、４２を、回転駆動装置４１、４３により９０度あるいは１８０度回転させれば、核破砕片３４の入射を分散させ検出器のダメージを低減できる。【００６８】
図１４は、放射化の程度を検知して検出器を回転させて、破砕片の入射を分散させ検出器のダメージを低減する際の、代表的な手順を示す。検出器の放射化の程度の検知は、特に特定の検出装置を設けることなく、通常のＰＥＴ計測システムの一部機能を用いて実行できる点に特徴がある。具体的には、まず、患者を視野に入れず照射も行わない、すなわち視野内に線源を一切置かずに、バックグランドの放射線計測を行う（ステップ２００）。計測は、同時計数測定してもよいが、消滅放射線以外のいわゆる単光子の放射線を効率よく計測するためには、同時計数を取る前の、シングルイベントデータを蓄積することが望ましい。そして一定時間計測を継続した後、ブロック単位など検出器の要素毎に、単位時間当たりの計測値を計算する。検出器診断（ステップ２０２）では、その計測値が既定値を超えた検出器要素を異常であると判断する（ステップ２０４）。そして、異常の検出器要素を核破砕片の入射位置から遠ざけるように検出器の回転角を計算し（ステップ２０６）、検出器を回転させる（ステップ２０８）。【００６９】
図１５は、本発明による回転型ＰＥＴの方法を開放型ＰＥＴ装置に適用したもう一つの実現例である。図９及び図１０に示した装置を２台、患者の体軸方向に離して配置し、２台のＰＥＴ装置の回転位相を揃える制御を行う。あるいは、図９及び図１０に示したＰＥＴ検出器４０、４２の中央の一部検出器を取り除く、すなわち２台の回転ＰＥＴ装置が物理的に結合された形態にしてもよい。【００７０】
開放型ＰＥＴ装置ではそもそも、開放空間を通じて検出器と干渉することなく治療ビームを照射野へ導くことができる。また、照射ポートに近い側の検出器に核破砕片が入射する問題については、ガントリ部材に遮蔽材を含めるなど、照射ポートと検出器の間に遮蔽材を挿入することにより、核破砕片の入射を抑制することができる。よって、図１５では検出器リングの両側を除去した構成を示したが、検出器リングの欠損は片側のみで十分である。図１６は、不要な隙間に検出器を充填し、ＰＥＴ計測の感度を高めた構成である。【００７１】
図１７は、図１６に示すＰＥＴ装置の構成を示したものである。検出器の回転中心から見た見込み角がθd´となる、円弧状のＰＥＴ検出器を配置した構造となる。θdは、検出器の回転中心に対して、点対称にＰＥＴ検出器が存在する範囲であり、θd´＝θd＋１８０°の関係を満たすとする。【００７２】
図１８は、ビーム照射と検出器の回転を同期させて、核破砕片の検出器への入射を避ける様子を図示したものである。検出器が危険領域に入らない時のみ治療ビーム照射を行い、検出器が危険領域にさしかかると治療ビーム照射をＯＦＦにする。治療ビームは、ti秒の照射のあとts秒休止する、Ｔ＝ti＋ts秒周期で運転されているとする。図７では、ＰＥＴ装置は２Ｔ秒で一回転するとしたが、検出器の欠損が一箇所である本形態では、Ｔ秒で一回転しなくてはならない。このとき、θdの下限値は、検出器軌道半径をＲ、ＰＥＴ視野半径をrとすると、図７と同様に
θd≧２sin-1（ｒ／Ｒ）
となる。一方、θdの上限値は、
θd ≦１８０°− ti／Ｔ×３６０°−θc
となる。【００７３】
表２は、同じくビーム照射周期Ｔ＝３．３秒、検出器軌道半径Ｒ＝５０ｃｍ、ＰＥＴ視野半径ｒ＝２０ｃｍの条件下で、照射時間ｔｉおよび危険領域幅Ｗｃを変化させた場合の、θdの上限値をまとめたものである。θdの下限値はθd≧４７．２°であり、上限値が下限値を下回る場合は、装置として成立しない（表中、不可と表示）。現実的には、ＰＥＴ装置感度を高めるために、θdは最大値を採用することが好ましい。なお、検出器の回転中心から見た見込み角θd´は、θd´＝θd＋１８０°である。表１のケースと比較して、ビーム照射周期Ｔが同じ場合、ＰＥＴ検出器の回転速度が２倍になるため、より短い照射時間ｔｉが求められる。【００７４】
【表２】
2010109585.tif 000004
【産業上の利用の可能性】
【００７５】
Ｘ線や粒子線を患部に照射して行う放射線治療において、放射線照射によって照射野から生じる消滅放射線を検出するためのモニタリングに際して、治療ビームと干渉せず且つ核破砕片の検出器への入射を低減して、照射直後あるいは照射中からも消滅放射線を計測し、照射野を３次元的に画像化できる。
【図１】
2010109585.tif 000005
【図２】
2010109585.tif 000006
【図３】
2010109585.tif 000007
【図４】
2010109585.tif 000008
【図５】
2010109585.tif 000009
【図６】
2010109585.tif 000010
【図７】
2010109585.tif 000011
【図８】
2010109585.tif 000012
【図９】
2010109585.tif 000013
【図１０】
2010109585.tif 000014
【図１１】
2010109585.tif 000015
【図１２】
2010109585.tif 000016
【図１３】
2010109585.tif 000017
【図１４】
2010109585.tif 000018
【図１５】
2010109585.tif 000019
【図１６】
2010109585.tif 000020
【図１７】
2010109585.tif 000021
【図１８】
2010109585.tif 000022
【国際調査報告】
2010109585.tif 000023
2010109585.tif 000024
2010109585.tif 000025
2010109585.tif 000026